(57)【要約】【課題】表示部を自由に配置できるヘッドマウントディスプレイを提供する。【解決手段】ＨＭＤ１は、ユーザ２が頭部に装着する筐体１０と、映像の光を導く少なくとも１つの光ファイバ１２ａと、を含む。筐体１０は、少なくとも１つの光ファイバ１２ａの一端をユーザ２の眼前で支持する支持部１４ａを含む。支持部１４ａは、一端の端面がユーザ２の眼の方を向くよう少なくとも１つの光ファイバ１２ａを支持する。少なくとも１つの光ファイバ１２ａの他端は、支持部１４ａから離間して配置されている。光ファイバ１２ａの他端に、表示部２０ａからの映像の光が入射される。【選択図】図１
2019066787.tif 000002
【特許請求の範囲】
【請求項１】
ユーザが頭部に装着する筐体と、
映像の光を導く少なくとも１つの光ファイバと、を含み、
前記筐体は、前記少なくとも１つの光ファイバの一端を前記ユーザの眼前で支持する支持部を含み、
前記支持部は、前記一端の端面が前記ユーザの眼の方を向くよう前記少なくとも１つの光ファイバを支持し、
前記少なくとも１つの光ファイバの他端は、前記支持部から離間して配置され、
前記他端に、表示部からの映像の光が入射される、
ことを特徴とするヘッドマウントディスプレイ。
【請求項２】
前記支持部は、前記少なくとも１つの光ファイバの端面が、前記ユーザの視野範囲よりも広い範囲にわたって配置されるよう前記少なくとも１つの光ファイバを支持する、
ことを特徴とする請求項１に記載のヘッドマウントディスプレイ。
【請求項３】
前記光ファイバの前記一端に、レンズが形成されている、
ことを特徴とする請求項１又は２に記載のヘッドマウントディスプレイ。
【請求項４】
前記ユーザの眼の正面に配置されている前記光ファイバよりも、当該正面から離れている位置に配置されている前記光ファイバの方が太い、
ことを特徴とする請求項１から３のいずれか一項に記載のヘッドマウントディスプレイ。
【請求項５】
前記光ファイバの太さが太いほど、当該光ファイバに前記表示部の多くの画素の光が入射され、
複数の画素に対応付けられる前記光ファイバは、当該複数の画素の合成光を導く、
ことを特徴とする請求項４に記載のヘッドマウントディスプレイ。
【請求項６】
前記表示部の画素は、互いに色が異なる複数のサブ画素から構成されており、
１の前記光ファイバの他端には、前記複数のサブ画素から構成されている画素の少なくとも１つからの映像の光が入射される、
ことを特徴とする請求項１から５のいずれか一項に記載のヘッドマウントディスプレイ。
【請求項７】
前記筐体は、前記ユーザの後頭部に配置される接続部、をさらに含み、
前記光ファイバは、前記支持部及び接続部に接続されている、
ことを特徴とする請求項１から６のいずれか一項に記載のヘッドマウントディスプレイ。
【請求項８】
前記光ファイバの前記他端の端面は、前記表示部に接続されている、
ことを特徴とする請求項１から７のいずれか一項に記載のヘッドマウントディスプレイ。
【請求項９】
前記表示部は、前記ユーザの後頭部に配置される、
ことを特徴とする請求項８に記載のヘッドマウントディスプレイ。
【発明の詳細な説明】
【技術分野】
【０００１】
本発明は、ヘッドマウントディスプレイに関する。
【背景技術】
【０００２】
ユーザが頭部に装着して映像を観賞するためのヘッドマウントディスプレイ（ＨＭＤ）が知られている。
【０００３】
このようなＨＭＤのなかには、ユーザが頭部に装着する筐体の前方に表示部を配置して、表示部に表示される映像をユーザが直接視覚できるようにしたものがある。
【０００４】
また筐体の側面に表示部を配置し、筐体の前面に当該表示部から前方に出射される映像光を反射するミラーを配置することで、当該表示部から出力されミラーで反射される映像をユーザが視覚できるようにしたＨＭＤもある。
【０００５】
また非特許文献１には、液晶ディスプレイと光ファイバを組み合わせることで構成された平板型の大画面ディスプレイが記載されている。
【先行技術文献】
【非特許文献】
【０００６】
【非特許文献１】高橋幸男、外４名、「アクティブマトリクス型ＬＣＤを用いた光ファイバディスプレイ」、テレビジョン学会誌、平成元年、Vol.43、No.8、p.836-840
【発明の概要】
【発明が解決しようとする課題】
【０００７】
上述のＨＭＤでは、表示部から出力される映像をユーザが視覚できるようにするための表示部の配置は限定され、表示部を自由に配置することができない。
【０００８】
例えば表示部に表示される映像をユーザが直接視覚するＨＭＤでは、表示部をユーザの眼前に配置する必要がある。
【０００９】
また例えば筐体の側面に有機ＥＬディスプレイを配置し前面にミラーを配置したＨＭＤでは、ミラーで反射される映像をユーザが視覚できるような位置に表示部を配置する必要がある。
【００１０】
なお非特許文献１に記載の技術は光ファイバを用いた平板型の大画面ディスプレイに関するものでありＨＭＤへの適用については想定されていない。
【００１１】
本発明は上記実情に鑑みてなされたものであって、その目的の一つは、表示部を自由に配置できるヘッドマウントディスプレイを提供することにある。
【課題を解決するための手段】
【００１２】
上記課題を解決するために、本発明に係るヘッドマウントディスプレイは、ユーザが頭部に装着する筐体と、映像の光を導く少なくとも１つの光ファイバと、を含み、前記筐体は、前記少なくとも１つの光ファイバの一端を前記ユーザの眼前で支持する支持部を含み、前記支持部は、前記一端の端面が前記ユーザの眼の方を向くよう前記少なくとも１つの光ファイバを支持し、前記少なくとも１つの光ファイバの他端は、前記支持部から離間して配置され、前記他端に、表示部からの映像の光が入射される。
【００１３】
本発明の一態様では、前記支持部は、前記少なくとも１つの光ファイバの端面が、前記ユーザの視野範囲よりも広い範囲にわたって配置されるよう前記少なくとも１つの光ファイバを支持する。
【００１４】
また、本発明の一態様では、前記光ファイバの前記一端に、レンズが形成されている。
【００１５】
また、本発明の一態様では、前記ユーザの眼の正面に配置されている前記光ファイバよりも、当該正面から離れている位置に配置されている前記光ファイバの方が太い。
【００１６】
この態様では、前記光ファイバの太さが太いほど、当該光ファイバに前記表示部の多くの画素の光が入射され、複数の画素に対応付けられる前記光ファイバは、当該複数の画素の合成光を導いてもよい。
【００１７】
また、本発明の一態様では、前記表示部の画素は、互いに色が異なる複数のサブ画素から構成されており、１の前記光ファイバの他端には、前記複数のサブ画素から構成されている画素の少なくとも１つからの映像の光が入射される。
【００１８】
また、本発明の一態様では、前記筐体は、前記ユーザの後頭部に配置される接続部、をさらに含み、前記光ファイバは、前記支持部及び接続部に接続されている。
【００１９】
また、本発明の一態様では、前記光ファイバの前記他端の端面は、前記表示部に接続されている。
【００２０】
この態様では、前記表示部は、前記ユーザの後頭部に配置されてもよい。
【図面の簡単な説明】
【００２１】
【図１】本発明の一実施形態に係るヘッドマウントディスプレイをユーザが装着した様子を表す左側面図である。
【図２】図１に示すヘッドマウントディスプレイをユーザが装着した様子を表す平面図である。
【図３】図１及び図２に示すヘッドマウントディスプレイのIII−III線断面図である。
【図４】光ファイバの一端の一例を示す図である。
【図５】本発明の別の一実施形態に係るヘッドマウントディスプレイをユーザが装着した様子を表す左側面図である。
【図６】図５に示すヘッドマウントディスプレイをユーザが装着した様子を表す平面図である。
【図７Ａ】光ファイバの端面の一例を模式的に示す図である。
【図７Ｂ】光ファイバの端面の一例を模式的に示す図である。
【図８】一変形例に係るヘッドマウントディスプレイをユーザが装着した様子を表す左側面図である。
【図９】本発明の一実施形態に係るヘッドトラッキングのための光を出力する光ファイバを備えたヘッドマウントディスプレイをユーザが装着した様子を表す左側面図である。
【図１０】図９に示すヘッドマウントディスプレイをユーザが装着した様子を表す平面図である。
【発明を実施するための形態】
【００２２】
以下、本発明の一実施形態について、図面を参照しながら説明する。
【００２３】
図１は、本発明の一実施形態に係るヘッドマウントディスプレイ（ＨＭＤ）１をユーザ２が装着した様子を表す左側面図である。図２は、図１に示すＨＭＤ１をユーザ２が装着した様子を表す平面図である。図３は、図１及び図２に示すＨＭＤ１のIII−III線断面図である。
【００２４】
図１及び図２に示すように、本実施形態に係るＨＭＤ１には、ユーザ２が頭部に装着する筐体１０と、映像の光を導く少なくとも１つの光ファイバ１２と、が含まれている。本実施形態に係る光ファイバ１２は、例えば可撓性を有する。
【００２５】
筐体１０の前面には光ファイバ１２を支持する支持部１４が設けられている。本実施形態に係る支持部１４は、例えば図３に示すような枠体であり、映像の光を出射する光ファイバ１２の一端の端面１６がユーザ２の眼を向くよう、ユーザ２の眼前で光ファイバ１２の束を外側から支持する。
【００２６】
また本実施形態に係る筐体１０には、ユーザ２の後頭部に配置される接続部１８が含まれている。そして光ファイバ１２は、支持部１４、接続部１８、及び、例えば液晶ディスプレイや有機ＥＬディスプレイなどといった表示部２０の表示面に接続される。そして光ファイバ１２の他端に、表示部２０からの映像の光が入射される。ここで例えば、光ファイバ１２の他端の端面２２が、映像の光を出力する表示部２０に接続されていてもよい。
【００２７】
本実施形態に係る光ファイバ１２のそれぞれは、表示部２０の表示面を構成する少なくとも１の画素に対応付けられている。そして光ファイバ１２のそれぞれは、当該光ファイバ１２に対応付けられる、表示部２０の表示面を構成する少なくとも１の画素に接続されている。そして光ファイバ１２のそれぞれは、当該光ファイバ１２に対応付けられる、少なくとも１つの画素の光を導く。
【００２８】
また表示部２０の表示面を構成する画素が、例えばＲ画素、Ｇ画素、Ｂ画素などといった複数のサブ画素から構成されていてもよい。
【００２９】
本実施形態に係る光ファイバ１２には、左眼用の映像を導く左眼用の光ファイバ１２ａと、右眼用の映像を導く右眼用の光ファイバ１２ｂと、が含まれる。また本実施形態に係る支持部１４には、ユーザ２の左眼の眼前で光ファイバ１２ａを支持する枠体である支持部１４ａと、ユーザ２の右眼の眼前で光ファイバ１２ｂを支持する枠体である支持部１４ｂと、が含まれる。また本実施形態に係る表示部２０には、左眼用の映像を表示させる左眼用の表示部２０ａと、右眼用の映像を表示させる右眼用の表示部２０ｂと、が含まれている。
【００３０】
本実施形態では例えば、表示部２０ａの表示面に接続される光ファイバ１２ａが、接続部１８を経由して、ユーザ２の左頭部に沿って支持部１４ａに案内される。そして支持部１４ａが、光ファイバ１２ａの端面１６ａがユーザ２の左眼を向くよう、ユーザ２の眼前で光ファイバ１２ａの束を外側から支持する。また例えば、表示部２０ｂの表示面に接続される光ファイバ１２ｂが、接続部１８を経由して、ユーザ２の右頭部に沿って支持部１４ｂに案内される。そして支持部１４ｂが、光ファイバ１２ｂの端面１６ｂがユーザ２の右眼を向くよう、ユーザ２の眼前で光ファイバ１２ｂの束を外側から支持する。
【００３１】
ここで例えば、光ファイバ１２ａの端面１６ａとは逆の端面２２ａが表示部２０ａに接続されていてもよい。また例えば、光ファイバ１２ｂの端面１６ｂとは逆の端面２２ｂが表示部２０ｂに接続されていてもよい。
【００３２】
そして表示部２０ａが出力し、光ファイバ１２ａが導く、左眼用の映像の光が、ユーザ２に左眼に入射される。また、表示部２０ｂが出力し、光ファイバ１２ｂが導く、右眼用の映像の光が、ユーザ２に右眼に入射される。ＨＭＤ１を装着するユーザ２は例えば表示部２０ａ及び表示部２０ｂにより出力される三次元映像を鑑賞することができる。
【００３３】
上述のように、本実施形態に係る支持部１４は、光ファイバ１２の一端の端面１６がユーザ２の眼の方を向くよう支持する。そして光ファイバ１２の他端は支持部１４から離間して配置され、当該他端に表示部２０からの映像の光が入射される。このようにすることで本実施形態に係るＨＭＤ１は、表示部２０を自由に配置できることとなる。
【００３４】
本実施形態に係るＨＭＤ１には、表示部２０が筐体１０から分離されている。そのため使用時間が長くても筐体１０自体は熱くならない。
【００３５】
また本実施形態に係るＨＭＤ１は、筐体１０の前方に表示部２０が配置されていない。また本実施形態に係るＨＭＤ１は、筐体１０の前方に表示部２０に表示される映像の視野範囲を広げるためのプリズムレンズも配置されていない。また筐体１０の後方に接続部１８が設けられている。そのため、本実施形態に係るＨＭＤ１は重心が前方に偏ることがない。そのため筐体１０がずれにくくなる。またユーザ２の首の負担も軽減される。
【００３６】
また図４に示すように、映像の光をユーザ２の眼に出射する光ファイバ１２の一端の端面１６に対してレンズ化が行われることなどにより、光ファイバ１２の当該一端に、例えばエポシキレンズ等のレンズ２４が形成されていてもよい。このようにすることで、ユーザ２の眼と映像の焦点との間の距離が、ユーザ２の眼と端面１６との間の距離よりも長くなる。そのため、映像を鑑賞するユーザ２の眼の負担が軽減されることとなる。
【００３７】
また本実施形態に係るＨＭＤ１では、光ファイバ１２を自由に配置することが可能である。そのためデザインの自由度が向上し、ファッショナブルなＨＭＤ１をデザインできる。
【００３８】
図５は、本発明の別の一実施形態に係るヘッドマウントディスプレイ（ＨＭＤ）１０１をユーザ１０２が装着した様子を表す左側面図である。図６は、図５に示すＨＭＤ１０１をユーザ１０２が装着した様子を表す平面図である
【００３９】
図５及び図６に示すように、本実施形態に係るＨＭＤ１０１には、ユーザ１０２が頭部に装着する筐体１１０と、映像の光を導く少なくとも１つの光ファイバ１１２と、が含まれている。本実施形態に係る光ファイバ１１２は、例えば可撓性を有する。
【００４０】
筐体１１０の前面には、光ファイバ１１２の一端の端面１１６がユーザ１０２の眼を向くよう、ユーザ１０２の眼前で光ファイバ１１２の束を外側から支持する支持部１１４が設けられている。
【００４１】
また本実施形態に係る筐体１１０には、ユーザ１０２の後頭部に配置される接続部１１８が含まれている。そして光ファイバ１１２は、支持部１１４、接続部１１８、及び、表示部１２０の表示面に接続される。そして光ファイバ１１２の他端に、表示部１２０からの映像の光が入射される。ここで例えば、光ファイバ１１２の他端の端面１２２が、映像の光を出力する表示部１２０に接続されていてもよい。
【００４２】
本実施形態に係る光ファイバ１１２のそれぞれは、表示部１２０の表示面を構成する少なくとも１の画素に対応付けられている。そして光ファイバ１１２のそれぞれは、当該光ファイバ１１２に対応付けられる、表示部１２０の表示面を構成する少なくとも１の画素に接続されている。そして光ファイバ１１２のそれぞれは、当該光ファイバ１１２に対応付けられる、少なくとも１つの画素の光を導く。
【００４３】
また表示部１２０の表示面を構成する画素が、例えばＲ画素、Ｇ画素、Ｂ画素などといった複数のサブ画素から構成されていてもよい。
【００４４】
本実施形態に係る光ファイバ１１２には、左眼用の映像を導く左眼用の光ファイバ１１２ａと、右眼用の映像を導く右眼用の光ファイバ１１２ｂと、が含まれる。また本実施形態に係る支持部１１４には、ユーザ１０２の左眼の眼前で光ファイバ１１２ａを支持する枠体である支持部１１４ａと、ユーザ１０２の右眼の眼前で光ファイバ１１２ｂを支持する枠体である支持部１１４ｂと、が含まれる。また本実施形態に係る表示部１２０には、左眼用の映像を表示させる左眼用の表示部１２０ａと、右眼用の映像を表示させる右眼用の表示部１２０ｂと、が含まれている。
【００４５】
本実施形態では例えば、表示部１２０ａの表示面に接続される光ファイバ１１２ａが、接続部１１８を経由して、ユーザ１０２の左頭部に沿って支持部１１４ａに案内される。そして支持部１１４ａが、光ファイバ１１２ａの端面１１６ａがユーザ１０２の左眼を向くよう、ユーザ１０２の眼前で光ファイバ１１２ａの束を外側から支持する。また例えば、表示部１２０ｂの表示面に接続される光ファイバ１１２ｂが、接続部１１８を経由して、ユーザ１０２の右頭部に沿って支持部１１４ｂに案内される。そして支持部１１４ｂが、光ファイバ１１２ｂの端面１１６ｂがユーザ１０２の右眼を向くよう、ユーザ１０２の眼前で光ファイバ１１２ｂの束を外側から支持する。
【００４６】
ここで例えば、光ファイバ１１２ａの端面１１６ａとは逆の端面１２２ａが表示部１２０ａに接続されていてもよい。また例えば、光ファイバ１１２ｂの端面１１６ｂとは逆の端面１２２ｂが表示部１２０ｂに接続されていてもよい。
【００４７】
そして表示部１２０ａが出力し、光ファイバ１１２ａが導く、左眼用の映像の光が、ユーザ１０２に左眼に入射される。また、表示部１２０ｂが出力し、光ファイバ１１２ｂが導く、右眼用の映像の光が、ユーザ１０２に右眼に入射される。ＨＭＤ１０１を装着するユーザ１０２は例えば表示部１２０ａ及び表示部１２０ｂにより出力される三次元映像を鑑賞することができる。
【００４８】
以上のようにしてＨＭＤ１０１は、ＨＭＤ１と同様に、表示部１２０を自由に配置できることとなる。
【００４９】
図５及び図６に示すように、支持部１１４が、光ファイバ１１２の端面１１６が、ユーザ１０２の視野範囲よりも広い範囲にわたって配置されるよう光ファイバ１１２を支持してもよい。こうすればユーザ１０２は、広範囲のシームレスな映像を鑑賞することができる。
【００５０】
図７Ａは、図５において矢印Ａで示されている部分に配置されている光ファイバ１１２の端面１１６の一例を模式的に示す図である。図７Ｂは、図５において矢印Ｂで示されている部分に配置されている光ファイバ１１２の端面１１６の一例を模式的に示す図である。図７Ａ及び図７Ｂに示すように、ユーザ１０２の眼の正面に配置されている光ファイバ１１２よりも、ユーザ１０２の眼の正面から離れている位置に配置されている光ファイバ１１２の方が太くてもよい。図７Ａ及び図７Ｂの例では、図５において矢印Ａで示されている部分の光ファイバ１１２より、図５において矢印Ｂで示されている部分の光ファイバ１１２の方が太くなっている。またユーザ１０２の眼の正面から離れるほど太い光ファイバ１１２が配置されるようにしてもよい。
【００５１】
また表示部１２０に接続される光ファイバ１１２の太さが太いほど、当該光ファイバ１１２には多くの画素が対応付けられてもよい。ここで複数の画素に対応付けられる光ファイバ１１２には、当該複数の画素の映像光が入射されるようにしてもよい。そして複数の画素に対応付けられる光ファイバ１１２は、当該複数の画素の合成光を導いてもよい。このようにすれば、ユーザ１０２の眼の正面には高解像度の鮮明な映像が提供され、ユーザ１０２の眼の正面から離れた場所には、低解像度のぼやけた映像が提供されることとなる。
【００５２】
なお、本発明は上述の実施形態に限定されるものではない。
【００５３】
例えば表示部２０がユーザ２の後頭部に配置されてもよい。ここで例えば接続部１８が表示部２０と一体であってもよい。また接続部１１８が表示部１２０と一体であってもよい。ここで例えば表示部１２０がユーザ１０２の後頭部に配置されてもよい。また図８に示すように、ＨＭＤ１の接続部１８の内部に表示部２０が組み込まれていてもよい。同様に、ＨＭＤ１０１の接続部１１８の内部に表示部１２０が組み込まれていてもよい。こうすれば、ユーザは自由に頭部を動かすことができる。
【００５４】
また例えば、電気信号である映像信号を伝送する伝送路が表示部２０や表示部１２０に接続されていてもよい。そしてインターネット等のネットワークを介して伝送される映像信号が当該伝送路を経由して表示部２０や表示部１２０に入力されてもよい。そして当該映像信号が表す映像が表示部２０や表示部１２０から出力されるようにしてもよい。
【００５５】
また例えば、遠隔地の表示部２０が出力する映像の光が光ファイバネットワーク及び光ファイバ１２を経由して、ＨＭＤ１の端面１６から出射されるようにしてもよい。また例えば、遠隔地の表示部１２０が出力する映像の光が光ファイバネットワーク及び光ファイバ１１２を経由して、ＨＭＤ１０１の端面１１６から出射されるようにしてもよい。
【００５６】
また例えばＨＭＤ１において、ユーザ２の眼の正面に配置されている光ファイバ１２よりも、ユーザ２の眼の正面から離れている位置に配置されている光ファイバ１２の方が太くてもよい。
【００５７】
また、図９及び図１０に示すように、ＨＭＤ１が、ヘッドトラッキングのための光を出力する光ファイバ３０ａ〜３０ｅを備えていてもよい。図９及び図１０に示すように、光ファイバ３０ａ〜３０ｅは、光を出力する光源３２に接続されている。また、図９及び図１０の例では、光ファイバ３０ａ〜３０ｅのそれぞれの、光源３２に接続されていない方の端面は、筐体１０の前面の中央上側、左上側、左下側、右上側、右下側に配置されている。そして光源３２から出力される所定の色の光が光ファイバ３０ａ〜３０ｅの端面から出射される。
【００５８】
ＨＭＤ１に向かって配置されたカメラ３４ａ，３４ｂは、所定の時間間隔でＨＭＤ１を撮影する。本実施形態に係るカメラ３４ａ，３４ｂはステレオカメラになっている。なおＨＭＤ１に向かって配置されたカメラがステレオカメラである必要はない。そしてカメラ３４ａ，３４ｂに接続されたヘッドトラッキング装置３６が、カメラ３４ａ，３４ｂによって撮影される画像内における、所定の色の光を出射する光ファイバ３０ａ〜３０ｅの像の配置に基づいて、ＨＭＤ１の姿勢を特定する。ここでヘッドトラッキング装置３６は、例えばプロセッサやメモリ等を備えるコンピュータであってもよい。
【００５９】
なお、光源３２が所定の色の可視光を出力してもよい。この場合、ヘッドトラッキング装置３６は、カメラ３４ａ，３４ｂが撮影した画像内における、当該所定の色の可視光を出力する光ファイバ３０ａ〜３０ｅの像に基づいて、ＨＭＤ１の姿勢を特定してもよい。
【００６０】
また光源３２が赤外線を出力してもよい。そしてカメラ３４ａ，３４ｂが、赤外線を撮影可能な赤外線カメラであってもよい。この場合、ヘッドトラッキング装置３６は、カメラ３４ａ，３４ｂが撮影した画像内における、赤外線を出力する光ファイバ３０ａ〜３０ｅの像に基づいて、ＨＭＤ１の姿勢を特定してもよい。
【００６１】
またヘッドトラッキング装置３６は、所定の時間間隔でカメラ３４ａ，３４ｂによって撮影される画像に基づいて、ＨＭＤ１の姿勢の変化を特定してもよい。
【００６２】
このようにすれば、ヘッドトラッキングのための光源を複数設けることなく、１の光源３２だけによって、互いに異なる位置に配置された複数の光ファイバ３０ａ〜３０ｅのそれぞれに対してヘッドトラッキングのための光を供給することが可能となる。
【００６３】
なおＨＭＤ１と同様にＨＭＤ１０１が、ヘッドトラッキングのための光を出力する光ファイバを備えていてもよい。
【符号の説明】
【００６４】
１  ヘッドマウントディスプレイ（ＨＭＤ）、２  ユーザ、１０  筐体、１２，１２ａ，１２ｂ  光ファイバ、１４，１４ａ，１４ｂ  支持部、１６，１６ａ，１６ｂ  端面、１８  接続部、２０，２０ａ，２０ｂ  表示部、２２，２２ａ，２２ｂ  端面、２４  レンズ、３０ａ，３０ｂ，３０ｃ，３０ｄ，３０ｅ  光ファイバ、３２  光源、３４ａ，３４ｂ  カメラ、３６  ヘッドトラッキング装置、１０１  ヘッドマウントディスプレイ（ＨＭＤ）、１０２  ユーザ、１１０  筐体、１１２，１１２ａ，１１２ｂ  光ファイバ、１１４，１１４ａ，１１４ｂ  支持部、１１６，１１６ａ，１１６ｂ  端面、１１８  接続部、１２０，１２０ａ，１２０ｂ  表示部、１２２，１２２ａ，１２２ｂ  端面。
【図１】
2019066787.tif 000003
【図２】
2019066787.tif 000004
【図３】
2019066787.tif 000005
【図４】
2019066787.tif 000006
【図５】
2019066787.tif 000007
【図６】
2019066787.tif 000008
【図７Ａ】
2019066787.tif 000009
【図７Ｂ】
2019066787.tif 000010
【図８】
2019066787.tif 000011
【図９】
2019066787.tif 000012
【図１０】
2019066787.tif 000013